(57)【要約】【課題】自己拡張型血管内ステントを配備及び回収するための機器を提供する。【解決手段】この機器は、血管内送出ワイヤと、その血管内送出ワイヤの少なくとも一部分の上に固定的に装着された１つ以上の柔軟材料のリングとを備える。血管内送出ワイヤの遠位部分は、段付きにされて近位部分よりも小さな直径を有し、ハードストップを形成することもできる。また、遠位及び近位バンドが血管内送出ワイヤ上に設けられて、ハードストップを形成することもできる。自己拡張型血管内ステントが、柔軟材料上に脱着可能に保持され得る。【選択図】図１
2012157701.tif 000002
【特許請求の範囲】
【請求項１】
自己拡張型血管内ステントを配備及び回収するための機器であって、
遠位部分と近位部分とを有する血管内送出ワイヤと、
前記血管内送出ワイヤの少なくとも一部分の上に固定的に装着された少なくとも１つの柔軟材料のリングであって、前記血管内送出ワイヤ上に自己拡張型血管内ステントを脱着可能に装着するように構成されている、リングと、を備える、機器。
【請求項２】
前記血管内送出ワイヤは段付き血管内送出ワイヤを含み、前記血管内送出ワイヤの前記遠位部分は、前記血管内送出ワイヤの前記近位部分よりも小さな直径を有する段付き遠位部分である、請求項１に記載の機器。
【請求項３】
前記段付き血管内送出ワイヤの前記段付き部分は、前記少なくとも１つの柔軟材料のリングに対して近位側にハードストップを形成し、該ハードストップは、前記少なくとも１つの柔軟材料のリングの上に脱着可能に装着された自己拡張型血管内ステントが、前記血管内送出ワイヤの上で近位側に前進する移動を制限するように動作する、請求項２に記載の機器。
【請求項４】
前記少なくとも１つの柔軟材料のリングに対して遠位側にて前記血管内送出ワイヤに固定的に装着された、前記血管内送出ワイヤの直径よりも大きな直径を有する遠位バンドと、前記少なくとも１つの柔軟材料のリングに対して近位側にて前記血管内送出ワイヤに固定的に装着された、前記血管内送出ワイヤの直径よりも大きな直径を有する近位バンドと、を更に備える、請求項１に記載の機器。
【請求項５】
前記遠位バンド及び近位バンドは、放射線不透過性のマーカーバンドを含む、請求項４に記載の機器。
【請求項６】
前記遠位バンド及び前記近位バンドはハードストップを形成し、該ハードストップは、前記自己拡張型血管内ステント又は自己拡張型血管内ステントに似た装置が拡張した形状を実現するまで、前記自己拡張型血管内ステント又は自己拡張型血管内ステントに似た装置の移動を制限するように構成されている、請求項４に記載の機器。
【請求項７】
前記少なくとも１つの柔軟材料のリングは、前記血管内送出ワイヤの前記遠位部分の上に固定的に装着されている、請求項１に記載の機器。
【請求項８】
前記血管内送出ワイヤの前記遠位部分は、前記血管内送出ワイヤの前記近位部分と同じ直径を有する、請求項１に記載の機器。
【請求項９】
前記少なくとも１つの柔軟材料のリングは、複数の柔軟材料のリングを含む、請求項１に記載の機器。
【請求項１０】
前記血管内送出ワイヤ上の前記少なくとも１つの柔軟材料のリングの上に自己拡張型血管内ステントを装着するために、前記少なくとも１つの柔軟材料のリング上に脱着可能に保持された自己拡張型血管内ステントを更に備える、請求項１に記載の機器。
【請求項１１】
前記自己拡張型血管内ステントは、前記少なくとも１つの柔軟材料のリングの上に圧着される、請求項１０に記載の機器。
【請求項１２】
前記柔軟材料はシリコーンを含む、請求項１に記載の機器。
【請求項１３】
前記柔軟材料はポリウレタンを含む、請求項１に記載の機器。
【発明の詳細な説明】
【技術分野】
【０００１】
本願は、広義には血管内ステントを配備及び／又は回収するためのシステムに関し、より具体的には、柔軟シースの上に脱着可能に配置された血管内ステントを送出及び回収するための、ステント送出ワイヤの上に柔軟シースを装着した血管内ステント送出ワイヤを含む機器に関する。
【背景技術】
【０００２】
血管内ステントは一般にチューブ状であり、患者の血管系内で能動的にあるいは受動的に半径方向に拡張するものである。そのようなステントは、狭窄部又は動脈瘤などの血管系の治療部位にてバルーンを拡張することによってステントを配備するための、拡張可能な部材又はバルーン血管形成カテーテルのバルーンの上に装着され得る。自己拡張型ステントは、拡張可能な部材又はバルーンの支援を受けることなく、収縮した送出状態から、より大きな直径へと拡張することができる。
【０００３】
血管系内の治療部位に血管内自己拡張型ステントを配置するための血管内ステント送出システムは通常、自己拡張型ステントをカテーテルの遠位部分の上に軸方向に配置した状態で血管系に通され得るカテーテルを含む。狭窄部又は動脈瘤など、血管系の治療部位に血管内ステントを配置するために、案内カテーテルが通常、患者の脈管系の中に導入され、治療部位に案内カテーテルの遠位先端部が近接するまで血管系内で前進される。次いで、案内ワイヤが通常、案内カテーテルを通じて所望の位置へ前進され、次いで、カテーテル上にステントを配置した膨張又は送出カテーテルが、そのステントが適切に配置されるまで案内ワイヤの上で患者の血管系の中へ前進され、その後に、ステントは治療部位に配備され得る。
【０００４】
自己拡張型ステントを扁平な形状に維持するための一般的な技法は、典型的には、カテーテルの周りでステントを圧縮した形状に維持するため、体液がステントに達することを防止するため、又は血管系をステントから保護するために、ステントの一部又はすべてにシース又はスリーブを被せて配置することを含む。通常、そのようなシース又はスリーブは、ステントが拡張した形状を実現できるように、ステントから回収又は解放される。
【０００５】
案内ワイヤを装填したステントもまた知られており、このステントにおいて、案内ワイヤ上で支持された、半径方向に拡張可能なステントが、案内ワイヤの遠位端部で又はその近くで、回収可能なシースによって部分的に被覆される。ステントが治療部位に隣接すると、ステントを露出させるためにシースが回収されて、ステントを拡張させることが可能となる。
【発明の概要】
【発明が解決しようとする課題】
【０００６】
神経血管など、血管系のうちのより小径でかつより繊細な血管に血管内ステントを送出できるように直径の分布を減じるためには、柔軟シースの上に脱着可能に配置された血管内ステントを送出及び回収するための、ステント送出ワイヤの上に柔軟シースを装着した血管内ステント送出ワイヤを含む血管内ステント送出システムを提供することが望ましい。本発明はこれら及び他の必要性を満たす。
【課題を解決するための手段】
【０００７】
簡潔にかつ概括的に言えば、本発明は、血管内ステントを配備及び回収するための機器を提供するものであり、その機器は、柔軟シースの上に脱着可能に配置された血管内ステントを送出及び回収するための、ステント送出ワイヤの上に柔軟シースを装着した血管内ステント送出ワイヤを含む。
【０００８】
本発明はしたがって、自己拡張型血管内ステント又は自己拡張型血管内ステントに似た装置を配備及び回収するための機器を提供するものであり、その機器は、血管内送出ワイヤと、その血管内送出ワイヤの少なくとも一部分の上に固定的に装着された１つ以上の柔軟材料のバンド又はリングとを備える。目下の好ましい態様において、柔軟材料は、例えば、シリコーン又はポリウレタンなどのエラストマー材料又は高分子材料であってもよく、あるいは、電気活性ポリマー（ＥＡＰ）など、温度変化又は電気にさらされると剛性又は柔軟性の変化を受けるようにされ得る、調整可能に柔軟な高分子材料であってもよい。目下の好ましい態様において、１つ以上の柔軟材料のバンド又はリングは、血管内送出ワイヤの遠位部分の上に固定的に装着される。目下の好ましい別の態様において、１つ以上の柔軟材料のバンド又はリングは、複数の柔軟材料のリングを含む。
【０００９】
目下の好ましい一態様において、血管内送出ワイヤの遠位部分は、血管内送出ワイヤの近位部分と同じ直径を有し得る。目下の好ましい別の態様において、血管内送出ワイヤは段付き血管内送出ワイヤであり、血管内送出ワイヤの遠位部分は、血管内送出ワイヤの近位部分よりも小さな直径を有する段付き遠位部分であり、その１つ以上の柔軟材料のバンド又はリングに対して近位側にハードストップを形成して、その１つ以上の柔軟材料のバンド又はリングの上に脱着可能に装着された自己拡張型血管内ステントが、血管内送出ワイヤの上で近位側に移動することを制限又は防止する。
【００１０】
目下の好ましい別の態様において、血管内送出ワイヤの直径よりも大きな直径を有する柔軟又は非柔軟材料の遠位バンド又はリングは、１つ以上の柔軟材料のリングに対して遠位側にて血管内送出ワイヤに固定的に装着され、血管内送出ワイヤの直径よりも大きな直径を有する柔軟又は非柔軟材料の近位バンド又はリングは、１つ以上の柔軟材料のリングに対して近位側にて血管内送出ワイヤに固定的に装着される。目下の好ましい態様において、柔軟又は非柔軟材料の遠位及び近位バンド又はリングはハードストップを形成し、そのハードストップは、自己拡張型血管内ステント又は自己拡張型血管内ステントに似た装置が拡張した形状を実現するまで、自己拡張型血管内ステント又は自己拡張型血管内ステントに似た装置の移動を制限するように構成されている。目下の好ましい別の態様において、遠位及び近位バンドは、放射線不透過性のマーカーバンドである。
【００１１】
目下の好ましい別の態様において、血管内送出ワイヤ上の１つ以上の柔軟材料のバンド又はリングの上に自己拡張型血管内ステントを脱着可能に装着するために、自己拡張型血管内ステントが、１つ以上の柔軟材料のバンド又はリング上に自己拡張型血管内ステントを圧迫又は圧着することなどによって、１つ以上の柔軟材料のバンド又はリング上に脱着可能に保持される。
【００１２】
本発明のこれら及び他の特徴及び利点は、例として本発明の動作を説明する添付の図面と共に、好ましい実施形態の以下の詳細な説明によって、より明らかとなろう。
【図面の簡単な説明】
【００１３】
【図１】本発明による、血管内ステントを配備及び／又は回収するための機器の第１の実施形態の端面図の概略図。
【図２】図１の線２−２に沿った、血管内ステントを配備及び／又は回収するための機器の断面図。
【図３】図１の血管内ステントを配備及び／又は回収するための機器の上に装着されたステントを示す概略図。
【図４】本発明による、血管内ステントを配備及び／又は回収するための機器の第２の実施形態の上に装着されたステントを示す概略図。
【図５】本発明による、血管内ステントを配備及び／又は回収するための機器の第３の実施形態の上に装着されたステントを示す概略図。
【図６】本発明による、血管内ステントを配備及び／又は回収するための機器の第４の実施形態の上に装着されたステントを示す概略図。
【発明を実施するための形態】
【００１４】
限定のためではなく例示のために提示する図面を参照するが、本発明は、自己拡張型血管内ステント又は血管内ステントに似た装置を配備及び／又は回収するためのシステム及び機器を提供する。
【００１５】
したがって、自己拡張型血管内ステント１２又は自己拡張型血管内ステントに似た装置を配備及び／又は回収するための機器１０は血管内送出ワイヤ１４を含んでおり、この血管内送出ワイヤ１４の上に、１つ以上の柔軟材料１６のバンド、リング、又はシースが被せられている。柔軟材料はここでは、加えられた力にさらされると弾性変形を受ける柔軟材料として定義される。この柔軟材料は、例えば、シリコーン又はポリウレタンなどのエラストマー材料又は高分子材料であってもよいが、それに類似した他の材料であって、ステント又はステントに似た装置が柔軟材料上で圧迫又は圧着されるときに弾性変形を受ける、材料が好適となり得る。別法として、柔軟材料は、例えば、加熱されたときに軟化を受けるなど、温度変化にさらされたときに剛性又は柔軟性の変化を受けるようにされ得るか、あるいは、電気活性ポリマー（ＥＡＰ）など、電圧又は電流を制御して印加されたときに剛性又は柔軟性の変化を受けるようにされ得る、調整可能に柔軟な高分子材料であってもよい。図１〜３に示すように、少なくとも１つの柔軟材料のバンド、リング、又はシースが、血管内送出ワイヤの遠位部分１８など、血管内送出ワイヤの少なくとも一部分の上に固定的に装着されており、この遠位部分１８は、血管内送出ワイヤの近位部分２０と同じ直径を有し得る。
【００１６】
図４に示すように、第２の実施形態において、柔軟材料は、段付き血管内送出ワイヤ２４の遠位段付き部分２２の上に被せられており、この遠位段付き部分２２は通常、遠位段付き部分が血管内送出ワイヤの近位部分２６よりも小さな直径を有するように研削されるか、あるいは他の方法で形成されている。段付き血管内送出ワイヤの遠位段付き部分は、自己拡張型血管内ステントに似た装置が拡張した形状を実現したとき、自己拡張型血管内ステント又は自己拡張型血管内ステントに似た装置が血管内送出ワイヤの上で近位側に前進することを阻止するために、ステントに対して近位側にハードストップを形成している。
【００１７】
図５に示す第３の実施形態において、柔軟又は非柔軟材料の遠位バンド又はリング２７は、１つ以上の柔軟材料のバンド又はリングに対して遠位側にて血管内送出ワイヤに固定的に装着されており、柔軟又は非柔軟材料の近位バンド又はリング２８は、１つ以上の柔軟材料のバンド又はリングに対して近位側にて血管内送出ワイヤに固定的に装着されている。柔軟又は非柔軟材料の遠位及び近位バンド又はリングはそれぞれ、好ましくは、血管内送出ワイヤの直径よりも大きな直径を有しており、遠位バンド又はリングと近位バンド又はリングとの間に柔軟材料が位置するように、１つ以上の柔軟材料のバンド又はリングに対して遠位側及び近位側にて送出ワイヤに形成されるか、あるいは固定的に装着されることができる。遠位及び近位バンド又はリングは、例えば放射線不透過性のマーカーバンドを形成するために、放射線不透過性金属などの放射線不透過性材料から形成されることができ、また、自己拡張型血管内ステント又は自己拡張型血管内ステントに似た装置が拡張した形状を実現するまで、１つ以上の柔軟材料のバンド又はリングの上に脱着可能に装着された自己拡張型血管内ステント又は自己拡張型血管内ステントに似た装置の移動を制限するためのハードストップとしても働くように、１つ以上の柔軟材料のバンド又はリングの直径よりも大きな直径を有するように形成され得る。
【００１８】
図６に示す第４の実施形態において、柔軟材料は、連続したシースではなく、離間した複数の柔軟材料のバンド又はリングなど、複数の又は一連の柔軟材料３０のバンド又はリングによって形成されていてもよい。
【００１９】
上記の実施形態の各々において、自己拡張型血管内ステント又は自己拡張型血管内ステントに似た装置は、血管内送出ワイヤ上の柔軟材料の上に自己拡張型血管内ステント又は血管内ステントに似た装置を装着するために、柔軟材料のバンド、リング若しくはシース、又は一連の柔軟材料のバンド若しくはリングの上に圧迫又は圧着され得る。柔軟材料と血管内ステントとの間の摩擦により、血管内ステントは、血管内ステントの配備及び回収を目的として、柔軟材料上に脱着可能に保持されることが可能となる。柔軟材料が十分に柔軟性を有する場合、ステントは柔軟材料の層の中に埋め込まれることができ、それによって血管内ステントの配備／回収性が更に向上する。
【００２０】
本発明の特定の形態について図示し説明してきたが、本発明の趣旨及び範囲から逸脱することなく様々な修正がなされ得ることが上記の内容から明らかとなろう。したがって、添付の「特許請求の範囲」による限定を除き、本発明を限定することは意図されていない。
【００２１】
〔実施の態様〕
（１）  自己拡張型血管内ステントを配備及び回収するための機器であって、
遠位部分と近位部分とを有する血管内送出ワイヤと、
前記血管内送出ワイヤの少なくとも一部分の上に固定的に装着された少なくとも１つの柔軟材料のリングであって、前記血管内送出ワイヤ上に自己拡張型血管内ステントを脱着可能に装着するように構成されている、リングと、を備える、機器。
（２）  前記血管内送出ワイヤは段付き血管内送出ワイヤを含み、前記血管内送出ワイヤの前記遠位部分は、前記血管内送出ワイヤの前記近位部分よりも小さな直径を有する段付き遠位部分である、実施態様１に記載の機器。
（３）  前記段付き血管内送出ワイヤの前記段付き部分は、前記少なくとも１つの柔軟材料のリングに対して近位側にハードストップを形成し、該ハードストップは、前記少なくとも１つの柔軟材料のリングの上に脱着可能に装着された自己拡張型血管内ステントが、前記血管内送出ワイヤの上で近位側に前進する移動を制限するように動作する、実施態様２に記載の機器。
（４）  前記少なくとも１つの柔軟材料のリングに対して遠位側にて前記血管内送出ワイヤに固定的に装着された、前記血管内送出ワイヤの直径よりも大きな直径を有する遠位バンドと、前記少なくとも１つの柔軟材料のリングに対して近位側にて前記血管内送出ワイヤに固定的に装着された、前記血管内送出ワイヤの直径よりも大きな直径を有する近位バンドと、を更に備える、実施態様１に記載の機器。
（５）  前記遠位バンド及び近位バンドは、放射線不透過性のマーカーバンドを含む、実施態様４に記載の機器。
（６）  前記遠位バンド及び前記近位バンドはハードストップを形成し、該ハードストップは、前記自己拡張型血管内ステント又は自己拡張型血管内ステントに似た装置が拡張した形状を実現するまで、前記自己拡張型血管内ステント又は自己拡張型血管内ステントに似た装置の移動を制限するように構成されている、実施態様４に記載の機器。
（７）  前記少なくとも１つの柔軟材料のリングは、前記血管内送出ワイヤの前記遠位部分の上に固定的に装着されている、実施態様１に記載の機器。
（８）  前記血管内送出ワイヤの前記遠位部分は、前記血管内送出ワイヤの前記近位部分と同じ直径を有する、実施態様１に記載の機器。
（９）  前記少なくとも１つの柔軟材料のリングは、複数の柔軟材料のリングを含む、実施態様１に記載の機器。
（１０）  前記血管内送出ワイヤ上の前記少なくとも１つの柔軟材料のリングの上に自己拡張型血管内ステントを装着するために、前記少なくとも１つの柔軟材料のリング上に脱着可能に保持された自己拡張型血管内ステントを更に備える、実施態様１に記載の機器。
【００２２】
（１１）  前記自己拡張型血管内ステントは、前記少なくとも１つの柔軟材料のリングの上に圧着される、実施態様１０に記載の機器。
（１２）  前記柔軟材料はシリコーンを含む、実施態様１に記載の機器。
（１３）  前記柔軟材料はポリウレタンを含む、実施態様１に記載の機器。
【図１】
2012157701.tif 000003
【図２】
2012157701.tif 000004
【図３】
2012157701.tif 000005
【図４】
2012157701.tif 000006
【図５】
2012157701.tif 000007
【図６】
2012157701.tif 000008
【外国語明細書】
2012157701000001.pdf